(57)【要約】【課題】回転打撃ブラシを提供すること。【解決手段】本発明の一実施形態による回転打撃ブラシは、寝具専用掃除機の底面に配置され、駆動モータと機構的に連結されて駆動モータにより回転するボディ部と、前記ボディ部の外周面に装着されて前記ボディ部の回転により清掃対象面を掃き出す複数のブラシ毛を含むブラシ部と、少なくとも一部が前記ボディ部の外部に突出されるように前記ボディ部に設けられた結合ユニットと前記結合ユニットの他端に前記ボディ部の回転軸と平行な回転軸を中心に回転可能に結合されて前記ボディ部の回転で遠心力によって自由回転して前記清掃対象物を打撃して前記清掃対象物に存在する汚染源を分離させる打撃ユニットを含む打撃モジュールとを含む。【選択図】図３
2018038817.tif 000002
【特許請求の範囲】
【請求項１】
寝具専用掃除機の底面に配置され、駆動モータと機構的に連結されて駆動モータにより回転するボディ部と、前記ボディ部の外周面に装着されて前記ボディ部の回転により清掃対象面を掃き出す複数のブラシ毛を含むブラシ部と、少なくとも一部が前記ボディ部の外部に突出されるように前記ボディ部に設けられた結合ユニットと該結合ユニットの他端に前記ボディ部の回転軸と平行な回転軸を中心に回転可能に結合されて前記ボディ部の回転で遠心力によって自由回転して前記清掃対象物を打撃して前記清掃対象物に存在する汚染源を分離させる打撃ユニットを含む打撃モジュールと、を含むことを特徴とする回転打撃ブラシ。
【請求項２】
前記結合ユニットは、一端が拡張された形態で前記ボディ部に着脱可能に挿入されて前記結合ユニットの離脱を防止する挿入部と、前記挿入部の他端に着脱及び回転が可能に結合される回転結合部と、を含み、前記打撃ユニットは、弾性を有する材質で形成され、前記結合ユニットに対して自由回転可能に結合される回転部と、前記回転部の他端に形成され、前記ボディ部の回転により前記打撃ユニットが遠心力により回転する際に前記清掃対象物を直接打撃する部分であって、他の部分に比べて最も大きい重量を有するように大きく形成されて打撃時に前記清掃対象物に最も大きな衝撃を加える打撃部と、を含むことを特徴とする、請求項１に記載の回転打撃ブラシ。
【請求項３】
前記ボディ部には前記挿入部が挿入される挿入溝を形成し、前記挿入溝は、前記ボディ部の一端から他端まで延長されて両端が開放される渦巻状に複数個が形成され、相互隣接した前記挿入溝の間には、前記打撃ユニットが前記清掃対象物を打撃した後に跳ね上がる際に、前記ボディ部の外周面にぶつかることを防止するための逃げ溝が形成されていることを特徴とする、請求項２に記載の回転打撃ブラシ。
【請求項４】
前記挿入溝には、前記ブラシ部の少なくとも一部が挿入されて固定されて、前記ブラシ部と前記挿入部が前記挿入溝の一端から相互入れ替えて押し入れられて前記ボディ部と結合することを特徴とする、請求項３に記載の回転打撃ブラシ。
【発明の詳細な説明】
【技術分野】
【０００１】
本発明は、回転打撃ブラシに関し、より詳しくは、回転するブラシ部に自由回転する打撃モジュールを設けて打撃モジュールが清掃対象面を打撃することで、清掃対象面から異物を分離させる回転打撃ブラシ（Ｒｏｔａｔｉｎｇ  Ｐｕｎｃｈ  Ｂｒｕｓｈ）に関する。
【背景技術】
【０００２】
家や事務室などで主に使われている真空掃除機は、大きく分けて掃除機本体と空気導入部がゴムホースやパイプで連結されているキャニスタタイプ、回転ブラシ部が回転しながらカーペットの埃や砂までも吸い込むことができるアップライトタイプ、規模の大きい事務室や営業場で主に使われるシリンダタイプなどに区分される。
【０００３】
真空掃除機の作用原理は、掃除機内部に設けられたブロアファンを介して発生した吸入力を用いて清掃対象物に付着されている埃やその他の汚染物質を吸入して集塵した後、汚染物質が除去された空気を再び外部に排出させる。
【０００４】
しかし、最近季節とは関係なく、随時発生する黄砂及び一般の埃に比べて粒子が小さい微細埃（直径：約２．５マイクロメートル〜１０マイクロメートル）は、従来の一般吸入だけを行う真空掃除機では除去することができないという限界がある。
【０００５】
特に、重金属を含んでいると知られている微細埃は、人体に吸入されると、排出ができず、各種呼吸器関係の疾病を誘発させる原因として注目されている。
【０００６】
また、黄砂は、中国の砂漠地域から発生する砂埃であって、粒子が重いため一般の真空掃除機の吸入力だけでは集塵することができない。
【０００７】
そして、寝具類などについている埃、ダニなどの害虫も一般の真空掃除機で簡単に除去できないという問題がある。
【０００８】
したがって、このような微細埃を含んだ各種汚染物質を除去するために清掃対象物の表面に直接接触して汚染物質を吸い込む円筒状の回転ブラシ部が備えられた真空掃除機が使用されていたが、布団、寝具、カーベットなどのように摩擦力が大きいファブリック素材の清掃対象物にくっついている埃及び微細埃、そして埃よりも重い黄砂などの汚染物質を除去するには力不足であった。
【０００９】
そのため、回転軸上に固定型の打撃羽根を形成したダスターホイールを結合させた掃除機が開発されたが、ダスターホイールは回転軸上での結合が複雑であって、ダスターホイールの外周面に固定型の打撃羽根にテンションを有するように形成したものであるために、回転軸の高速回転で清掃対象物を打撃するものであるが、上記のような打撃羽根は清掃対象物を掠ったり、または擦る現象があるため清掃対象物に加えられる打撃力が半減されるという問題があった。
【００１０】
また、打撃と同時に、その打撃が繰り返される際にダスターホイールと打撃羽根の連結部に相当な圧力が加えられて折れるなどの構造的問題が発生しやすい。
【００１１】
また、上記のような打撃羽根は、ダスターホイールの回転と共に連動されるものであって、その打撃強度は前記打撃羽根が有するテンションに依存していて、そのために前記打撃羽根による打撃強度は極めて制限的であって清掃対象物にくっついている異物や細菌または害虫の除去効率を低減させる。
【先行技術文献】
【特許文献】
【００１２】
【特許文献１】韓国特許出願公開第１０−２０１３−０１４０３３７号明細書
【発明の概要】
【発明が解決しようとする課題】
【００１３】
本発明は、上記従来の問題点を解決するために案出されたものであって、以下に本発明の目的を説明する。
【００１４】
第一に、本発明は、布団、寝具、ソファー、カーベットなどの摩擦力が大きいファブリック素材の清掃対象物に付着されている汚染物質をより効果的に除去することができる回転打撃ブラシを提供することにある。
【００１５】
第二に、本発明は、維持補修が簡単であり、維持補修費を節約することができる回転打撃ブラシを提供することにある。
【００１６】
本発明の課題は、以上に言及した課題に制限されず、言及しないその他の課題は下記の記載によって当業者に明確に理解させることができる。
【課題を解決するための手段】
【００１７】
上記目的を達成するために、本発明の一実施形態による回転打撃ブラシは、ボディ部、ブラシ部及び打撃モジュールを含む。
【００１８】
前記ボディ部は、寝具専用掃除機の底面に配置され、駆動モータと機構的に連結されて駆動モータにより回転される。
【００１９】
前記ブラシ部は、前記ボディ部の外周面に装着され、前記ボディ部の回転により清掃対象面を掃き出す複数のブラシ毛を含む。
【００２０】
前記打撃モジュールは、少なくとも一部が前記ボディ部の外部に突出されるように前記ボディ部に設けられた結合ユニットと、前記結合ユニットの他端に前記ボディ部の回転軸と平行な回転軸を中心に回転可能に結合されて前記ボディ部の回転で遠心力によって自由回転し、前記清掃対象物を打撃して前記清掃対象物に存在する汚染源を分離させる打撃ユニットと、を含む。
【００２１】
前記結合ユニットは、前記ボディ部に着脱可能に結合され、前記打撃ユニットは、前記結合ユニットに着脱可能に結合されていてもよい。
【００２２】
前記結合ユニットは、一端が拡張された形態で前記ボディ部に挿入され、前記結合ユニットの離脱を防止する挿入部及び該挿入部の他端に前記打撃ユニットが回転可能に結合された回転結合部を含んでいてもよい。
【００２３】
前記ボディ部には、前記挿入部が挿入される挿入溝を形成していてもよい。
【００２４】
前記挿入溝は、前記ボディ部の一端から他端まで延長され、両端が開放される渦巻状に複数個が形成されていてもよい。
【００２５】
相互隣接した前記挿入溝の間には、前記打撃ユニットが前記清掃対象物を打撃した後に跳ね上がる際に、前記ボディ部の外周面にぶつかることを防止するための逃げ溝が形成されていてもよい。
【００２６】
前記挿入溝には、前記ブラシ部の少なくとも一部が挿入されて固定されていてもよい。
【００２７】
前記打撃モジュールは、前記ブラシ部の間に配置されていてもよい。
【００２８】
前記ブラシ部と前記挿入部が前記挿入溝の一端から順に押し入れて前記ボディ部と結合されていてもよい。
【００２９】
一方、前記打撃ユニットは、前記結合ユニットに対して自由回転可能に結合される回転部及び該回転部の他端に形成され、前記ボディ部の回転により前記打撃ユニットが遠心力により回転する際に、前記清掃対象物を直接打撃する部分である打撃部を含んでいてもよい。
【００３０】
前記打撃部は、他の部分に比べて最も大きい重量を有するように大きく形成されて打撃時に前記清掃対象物に最も大きな衝撃を加えることができる。
【００３１】
前記打撃ユニットは、弾性を有する材質で形成されていてもよい。
【００３２】
前記ブラシ部は、複数の前記ブラシ毛を一端から覆うブラシ結合部をさらに含み、前記ボディ部には前記ブラシ結合部が着脱可能に結合されたブラシ結合溝が形成されていてもよい。
【発明の効果】
【００３３】
次に、上記のように構成された本発明の効果について説明する。
【００３４】
第一に、本発明の一実施形態による回転打撃ブラシによれば、打撃ユニットが自由回転して清掃対象面を打撃することで、布団、寝具、ソファー、カーベットなどの摩擦力が大きいファブリック素材の清掃対象物に付着されている汚染物質をより効果的に除去することができる。
【００３５】
第二に、本発明の一実施形態による回転打撃ブラシによれば、ボディ部の外周面に結合ユニットを用いて打撃ユニットが自由回転するように形成し、打撃ユニットが清掃対象物を打撃する過程において物理的な圧力が加えられても柔軟に動くことができる構造により打撃ユニットの寿命をさらに延長させることができる。また、長年の使用で一部の打撃ユニットが損傷された場合も、ボディ部から損傷された打撃ユニットだけを分離させた後、新しい打撃ユニットに交換可能なので、全体的な維持補修費を節減することができる。
【００３６】
本発明の効果は、以上に言及した効果に制限されず、言及しないその他の効果は、請求範囲の記載から当業者に明確に理解させることができる。
【００３７】
以下に説明する本発明の好適な実施形態の詳細な説明だけでなく、上記説明の要約は、添付図面を参照することでさらに理解を深めることができる。本発明を例示するための目的として図面には好適な実施形態が図示されている。しかしながら、本発明は、図示した配置と手段に制限されないものとして理解すべきである。
【図面の簡単な説明】
【００３８】
【図１】寝具専用掃除機を示す図である。
【図２】本発明の一実施形態による回転打撃ブラシが適用された寝具専用掃除機の底面を示す図である。
【図３】本発明の一実施形態による回転打撃ブラシを示す斜視図である。
【図４】本発明の一実施形態による回転打撃ブラシに打撃モジュールが設けられた部分を拡大して示す図である。
【図５】本発明の一実施形態による回転打撃ブラシのうちの打撃モジュールを示す斜視図である。
【図６】本発明の一実施形態による回転打撃ブラシの使用状態図である。
【発明を実施するための形態】
【００３９】
以下、本発明の実施形態について添付図面を参照しながら詳細に説明する。なお、添付図面は本発明の内容をより理解しやすく開示するために説明されたものであって、本発明の範囲が添付図面の範囲によって限定されない旨はこの技術分野の通常の知識を有する者であれば容易に理解できるであろう。
【００４０】
そして、本発明における実施形態の説明において、同じ機能を有する構成要素については同じ名称及び同じ符号を使用するだけであって、実質的には従来技術の構成要素と全く同一ではない。
【００４１】
また、本発明に用いる用語は、単に特定の実施形態を説明するために用いるものであって、本発明を限定しようとする意図ではない。単数の表現は文脈上明確に相違しない限り複数の表現も含む。本発明において、「含む」または「有する」などの用語は、明細書上に記載された特徴、数字、段階、動作、構成要素、部品、またはこれらを組み合わせたものの存在を指定するものであって、１つまたはその以上の他の特徴、数字、段階、動作、構成要素、部品またはこれらを組み合わせたものなどの存在または付加可能性をあらかじめ排除しないものとして理解すべきである。
【００４２】
次に、図１及び図２を参照して本実施形態の回転打撃ブラシが適用された寝具専用掃除機について説明する。
【００４３】
図１は、寝具専用掃除機を示す図であり、図２は、本発明の一実施形態による回転打撃ブラシが適用された寝具専用掃除機の底面を示す図である。
【００４４】
図１に示すように、寝具専用掃除機は、外観を形成するハウジング部１００を含んでいてもよい。
【００４５】
ハウジング部１００は、上部ハウジング１１０と下部ハウジング１２０で構成され、上部ハウジング１１０及び下部ハウジング１２０は、上下に互いに分離されるように側面が結合されている。ハウジング部１００は、狭い地域や角などの地域での進入を円滑にするために、ハウジング部１００の先端部を突出した形態（参照符号Ａ）で形成することができる。
【００４６】
上部ハウジング１１０には、使用者が掴むことができるハンドル１１２及び掃除機のオンオフ作動を制御する制御スイッチ部１１４が形成されていてもよい。
【００４７】
下部ハウジング１２０には、清掃対象物の表面と直接当接する接触面１２２、汚染物質が含まれた空気を吸入する空気導入部１２４及び汚染物質を濾過してきれいになった空気が外部に排出される空気排出部１２６が形成されていてもよい。
【００４８】
寝具専用掃除機１０００は、図１で説明した下部ハウジング１２０及び接触面１２２を含み、リブ部３００、吸着防止部４００、リセス部５００、ホイール部６００、駆動モータ部７００、従動プーリ部８００、駆動プーリ部９００、光源部９５０、そして実施形態の回転打撃ブラシ２００を含んでいてもよい。
【００４９】
本実施形態の回転打撃ブラシ２００については詳しく後述することとする。
【００５０】
寝具専用掃除機１０００の突出した先端には、リブ部３００が形成されている。リブ部３００は複数の単位リブ３１０からなっている。リブ部３００は寝具専用掃除機１０００の空気導入部１２４が位置した先端に主に形成されて清掃対象物が空気導入部１２４に吸着されるのを防止する。リブ部３００を構成する複数の単位リブ３１０の間には吸着防止部４００が形成されていてもよい。
【００５１】
リセス部５００は、後述する回転打撃ブラシ２００周辺に形成された凹状の空間であって、回転打撃ブラシ２００が回転することができる空間を提供する。リセス部５００は、空気導入部１２４及び吸着防止部４００と連結できるように形成することができる。
【００５２】
ホイール部６００は、下部ハウジング１２０の接触面１２２に設けられ、寝具専用掃除機１０００が清掃対象物表面を円滑に前後進できるようにする機能を行う。
【００５３】
従動プーリ部８００は、リセス部５００に回転可能に設けられている回転打撃ブラシ２００の一端に設けることができる。
【００５４】
駆動プーリ部９００は、リセス部５００に回転可能に設けられている回転打撃ブラシ２００の他端に設けることができる。
【００５５】
駆動プーリ部９００は、駆動モータ部７００に連結されることができ、駆動モータ部７００の回転力を回転打撃ブラシ２００に伝達するために駆動プーリ部９００と従動プーリ部８００はベルトを用いて互いに連結されることができる。または、駆動プーリ部９００と従動プーリ部８００は、チェーンまたはギア等で互いに連結されていてもよい。
【００５６】
光源部９５０は、寝具専用掃除機１０００を用いて清掃対象物の汚染物質を除去すると同時に、清掃対象物を殺菌するために、下部ハウジング１２０の接触面１２２に形成されていてもよい。例えば、光源部９５０は、紫外線光源（ｕｌｔｒａｖｉｏｌｅｔ  ｌｉｇｈｔ  ｓｏｕｒｃｅ）で形成することができる。そして、紫外線光源は、紫外線ランプ（ｕｌｔｒａｖｉｏｌｅｔ  ｌａｍｐ）または紫外線発光ダイオード（ｕｌｔｒａｖｉｏｌｅｔ  ｌｉｇｈｔ  ｅｍｉｔｔｉｎｇ  ｄｉｏｄｅ：ＵＶ  ＬＥＤ）などで形成することができる。
【００５７】
次に、図３ないし図５を参照して本発明の一実施形態による回転打撃ブラシ２００について説明する。
【００５８】
図３は、本発明の一実施形態による回転打撃ブラシを示す斜視図であり、図４は、本発明の一実施形態による回転打撃ブラシに打撃モジュール２３０が設けられた部分を拡大して示す図であり、図５は、本発明の一実施形態による回転打撃ブラシの中の打撃モジュール２３０を示す斜視図である。
【００５９】
本発明の一実施形態による回転打撃ブラシ２００は、前述のリセス部５００に少なくとも一部が収容されて回転するものであって、図３及び図４に示すように、本発明の一実施形態による回転打撃ブラシ２００は、ボディ部２１０、ブラシ及び打撃モジュール２３０を含む。
【００６０】
まず、ボディ部２１０は、寝具専用掃除機の底面に配置されて回転する部分であって、一方向に長さを有する円柱状とすることができる。そして、ボディ部２１０は、両端が駆動プーリ部９００及び従動プーリ部８００と連結されて駆動モータ部７００により回転することができる。ボディ部２１０には、後述する打撃モジュール２３０の中の結合ユニット２４０の挿入部２４２が挿入される挿入溝２１２が形成されていてもよい。
【００６１】
挿入溝２１２は、ボディ部２１０の一端から他端まで延長されて両端が開放される渦巻状に形成されていてもよい。そして、ボディ部２１０には、複数個の挿入溝２１２が互いに所定間隔離隔されて並ぶように形成されていてもよい。
【００６２】
挿入溝２１２は、入口部よりも内部の幅がより広く形成されていてもよい。例えば、挿入溝２１２は「⊥」形状を有するか、またはダブテール形状を有することができる。これにより、後述する挿入部２４２の離脱を防止することができる。
【００６３】
そして、ブラシ部２２０は、ボディ部２１０の外周面に装着されてボディ部２１０の回転により清掃対象面を滑る。
【００６４】
ブラシ部２２０は、ボディ部２１０に着脱可能な形態で構成される。例えば、図示しないが、複数のブラシ毛の一側を覆う堅い材質のブラシ結合部（図示せず）が備えられる。ブラシ結合部（図示せず）は、挿入溝２１２と対応する形状を有するように形成されて挿入溝２１２にブラシ結合部（図示せず）を挿入することで、ブラシ部２２０をボディ部２１０に結合することができる。
【００６５】
すなわち、ブラシ部２２０は、ボディ部２１０の外周面に渦巻状に所定間隔離隔されて配置されることができ、このようにブラシ部２２０が渦巻状に配置されることで、ボディ部２１０の回転により旋形のブラシ部２２０が順に清掃対象面を掃き出すので、清掃対象面を細かく掃除することができる。
【００６６】
しかしながら、前述のブラシ部２２０の着脱構造は一例であって、ブラシ部２２０を着脱することができれば、いずれの構造であってもよい。
【００６７】
一方、本実施形態において打撃モジュール２３０は回転することで、清掃対象面を打撃して清掃対象面から異物を分離する役割をするものであって、渦巻状に配置されるブラシ部２２０の間に複数個が配置されていてもよい。打撃モジュール２３０を複数個配置することで、清掃対象物に対する打撃を持続的に行うことができる。
【００６８】
また、打撃モジュール２３０は、渦巻状に配置されてボディ部２１０の長さ方向と平行な方向に隣接せず、ボディ部２１０の長さ方向と垂直である円の円柱方向にも互いに隣接しないので、打撃効果を極大化することができる。
【００６９】
打撃モジュール２３０は、結合ユニット２４０と打撃ユニット２５０を含む。
【００７０】
結合ユニット２４０は、少なくとも一部がボディ部２１０の外部に突出されるようにボディ部２１０に設けられる。
【００７１】
そのために、結合ユニット２４０は、一端が拡張された形態でボディ部２１０に挿入されて結合ユニット２４０の離脱を防止する挿入部２４２及び挿入部２４２の他端に打撃ユニット２５０が回転可能に結合される回転結合部２４４を含む。
【００７２】
ここで、挿入部２４２は、ボディ部２１０に形成された挿入溝２１２に挿入される部分であって、挿入溝２１２と対応される形状を有することができる。そして、挿入溝２１２の一端からブラシ部２２０と挿入部２４２を順に押し入れて打撃モジュール２３０がブラシ部２２０の中に位置するようにボディ部２１０と結合される。このとき、ブラシ部２２０と結合ユニット２４０が挿入溝２１２から離脱されるのを防止するために、ボディ部２１０の両端にはキャップが結合されていてもよい。
【００７３】
また、打撃ユニット２５０は、結合ユニット２４０の他端にボディ部２１０の回転軸と平行な回転軸を中心に回転可能に結合されてボディ部２１０の回転で遠心力により自由回転し、清掃対象物を打撃して清掃対象物に存在する汚染源を分離する打撃ユニット２５０を含んでいてもよい。
【００７４】
このように、打撃ユニット２５０を結合ユニット２４０に回転可能に結合して打撃ユニット２５０と結合ユニット２４０の結合回転軸を中心に打撃ユニット２５０が回転されることで、駆動モータ部７００の回転力により清掃対象物の表面を打撃する過程で打撃ユニット２５０に加えられる圧力を緩和させて打撃ユニット２５０の寿命を延長させることができる。
【００７５】
また、長時間使用により打撃ユニット２５０が折れたり割れるなどの損傷が発生した場合にも回転打撃ブラシ２００全体を交換するのではなく、損傷された打撃ユニット２５０だけを分離して部分的な交換及び修理が可能である。
【００７６】
そのために、打撃ユニット２５０は、結合ユニット２４０に対して自由回転可能に結合される回転部２５２及び回転部２５２の他端に形成されてボディ部２１０の回転により打撃ユニット２５０が回転する際に清掃対象物を直接打撃する部分である打撃部２５４を含んでいてもよい。
【００７７】
ここで、打撃部２５４は、他の部分に比べて最も大きい重量を有するように大きく形成されて打撃時に清掃対象物に最も大きな衝撃を加えられることができる。そのために、打撃部２５４は、打撃ユニット２５０の他の部分に比べて質量の大きい材質が適用されていてもよいが、本実施形態では打撃部２５４の体積を大きくして他の部分に比べて最も大きい重さを有することができる。そのために、打撃部２５４は、清掃対象面と当接する面が曲面に形成される円柱状とすることができる。
【００７８】
勿論、打撃部２５４の形状は前述に限定されず、清掃対象面に衝撃を加えられる形状であれば、いずれの形態であってもよい。
【００７９】
打撃部２５４の材質は、弾性を有するシリコン、ゴム、樹脂などが適用されることができる。これにより、打撃部２５４が清掃対象面に打撃を行った後直ちに跳ね上がった際に、異物分離効果を向上させることができる。しかし、打撃部２５４の材質は前述に限定されず、打撃部２５４の材質はいずれの材質であってもよい。
【００８０】
ボディ部２１０、ブラシ部２２０及び打撃モジュール２３０は、駆動モータ部７００の作動でボディ部２１０の中心軸を中心として３６０度回転することができる。そして、打撃ユニット２５０は、ボディ部２１０の回転による遠心力により回転部２５２の回転軸を中心に回転することができる。
【００８１】
このとき、ボディ部２１０には、打撃ユニット２５０が清掃対象物を打撃した後跳ね上がる際に、打撃部２５４がボディ部２１０の外周面にぶつかることを防止するための逃げ溝２１４が形成されていてもよい。逃げ溝２１４は相互隣接した挿入溝の間に形成されていてもよい。逃げ溝２１４は、打撃部２５４と対応するように曲面に形成されていてもよい。
【００８２】
以上、本発明の一実施形態による回転打撃ブラシ２００の構成について説明した。
【００８３】
次に、図６を参照して本発明の一実施形態による回転打撃ブラシ２００の作動について説明する。
【００８４】
図６は、本発明の一実施形態による回転打撃ブラシの使用状態図である。
【００８５】
図６に示すように、本発明の一実施形態による回転打撃ブラシ２００によれば、清掃対象物の上部に３６０度回転するボディ部２１０が位置し、これにボディ部２１０の回転軸と平行な回転軸を中心に自由回転する打撃ユニット２５０が結合ユニット２４０により連結される。打撃ユニット２５０は、駆動モータ部７００が回転する際に発生する回転力によってボディ部２１０の外周面と所定角度をなすことになる。
【００８６】
高速回転するボディ部２１０で回転可能に結合された打撃ユニット２５０が清掃対象物２０００の表面を打撃する。図面上では、打撃ユニット２５０が清掃対象物２０００の表面を打撃する。このように打撃ユニット２５０が清掃対象物２０００の表面を打撃する瞬間、打撃モジュール２３０の打撃力Ｄによって清掃対象物２０００の表面についていた各種汚染物質、例えば、埃、微細埃、黄砂物質、細菌、害虫等が分離される。
【００８７】
そして、ボディ部２１０の回転によりその他の打撃ユニット２５０も順に清掃対象物２０００の表面を打撃して汚染物質を持続的に分離させる。
【００８８】
打撃ユニット２５０が清掃対象物２０００の表面を打撃する瞬間に弾性材質からなる打撃部２５４には所定の押圧現象が起き、清掃対象物２０００の表面から離脱する瞬間に、回転による遠心力によって元の形態に復帰することができる。
【００８９】
本発明では、ボディ部２１０の外周面に打撃ユニット２５０を形成することで、所定角度を有する固定された形態に形成されず、結合ユニット２４０を用いて打撃ユニット２５０が自由回転されるように形成される。
【００９０】
したがって、打撃ユニット２５０が清掃対象物を打撃する過程で物理的な圧力が加えられても柔軟に動くことができる構造であるため、打撃ユニット２５０の寿命をさらに延長させることができる。
【００９１】
そして、長年の使用により一部の打撃ユニット２５０が損傷されても全体の回転打撃ブラシ２００を交換せず、ボディ部２１０から損傷された打撃ユニット２５０だけを分離した後に新しい打撃ユニット２５０に交換可能であるので、全体的な維持補修費を節減することができる。
【００９２】
次に、図１ないし図６を参照して、本実施形態の回転打撃ブラシ２００が適用された寝具専用掃除機の汚染物質除去過程を説明する。
【００９３】
まず、寝具専用掃除機１０００の上部ハウジング１１０に形成されている制御スイッチ部１１４をオン状態に操作して駆動モータ部７００を駆動させる。駆動モータ部７００の作動により真空掃除機１０００内部に設けられるブロアファンが回転し、強力な吸入力を発生させる。
【００９４】
吸入力が発生した寝具専用掃除機１０００の底を、清掃対象物２０００の表面に接触させながら清掃対象物２０００に吸着されていた埃、微細埃、黄砂、細菌、害虫（ダニ）等の各種汚染物質を含んだ空気が吸着防止部及び空気導入部を介して空気通路に流入される。
【００９５】
空気導入部１２４に流入された空気に含まれた汚染物質は、寝具専用掃除機１０００内部に形成された第１フィルタユニットを通過して１次的に濾過される。続いて、第１フィルタユニットを介して１次的に濾過された空気は、ブロアファンを経て第２フィルタユニットを介して２次的に濾過された後、空気排出部１２６を介して外部に排出される。
【００９６】
上記のような過程を経て清掃対象物の汚染物質を除去する過程で、回転打撃ブラシ２００によって清掃対象物についている汚染物質をより効果的に除去することができる。すなわち、駆動モータ部７００の回転により、打撃ユニット２５０及びブラシ部２２０が装着されたボディ部２１０が同時に回転するが、このとき打撃ユニット２５０は、回転部２５２の他端に形成された打撃部２５４が清掃対象物の表面を強く打撃して清掃対象物から汚染物質を簡単に分離させることができる。
【００９７】
そして、清掃対象物から汚染物質が分離される瞬間、ブラシ部２２０を介して掃き出された汚染物質が、駆動モータ部７００から発生した吸入力により直ちに空気導入部１２４に流入されて濾過された後、空気排出部１２６を介して外部に排出される。
【００９８】
以上のように、本発明による好適な実施形態を説明しており、前述で説明した実施形態以外にも本発明がその趣旨や範疇から脱離することなく、異なった特定形態で具体化することができるという事実は、当該技術に通常の知識を有する者であれば自明なものである。したがって、前述の実施形態は、制限的なものではなく例示的なものでなければならず、これにより本発明は、前述の説明に制限されず、添付の請求範囲の範疇及びその同等範囲内で変更され得る。
【符号の説明】
【００９９】
２００  回転打撃ブラシ、２１０  ボディ部、２１２  挿入溝、２１４  逃げ溝、２２０  ブラシ部、２３０  打撃モジュール、２４０  結合ユニット、２４２  挿入部、２４４  回転結合部、２５０  打撃ユニット、２５２  回転部、２５４  打撃部、７００  駆動モータ部、１０００  寝具専用掃除機、２０００  清掃対象物
【図１】
2018038817.tif 000003
【図２】
2018038817.tif 000004
【図３】
2018038817.tif 000005
【図４】
2018038817.tif 000006
【図５】
2018038817.tif 000007
【図６】
2018038817.tif 000008